(57)【要約】【課題】本発明は、地上波ＤＭＢ(Digital Multimedia Broadcasting)と衛星ＤＭＢの両方を支援するデュアルモードＤＭＢ受信機において、地上波ＤＭＢと衛星ＤＭＢを通じて提供されるＥＰＧ(Electronic Program Guide)情報を統合して提供するための方法を提供する。【解決手段】デュアルモードＤＭＢ受信機が、地上波ＤＭＢと衛星ＤＭＢから各々のＥＰＧ情報を検出するステップと、地上波ＤＭＢの各々のアンサンブルに応じてカテゴリーを形成するとともに、衛星ＤＭＢシステムに対しても１つのカテゴリーを与えるステップと、形成したカテゴリーを上位階層として設定し、その下位階層としては各々のカテゴリーによるＥＰＧ情報を格納するステップと、カテゴリーの移動に応じて、各々のカテゴリーによるＥＰＧ情報を出力して統合ＥＰＧを提供するステップと、を含む。【選択図】  図３
2006345534.tif 000002
【特許請求の範囲】
【請求項１】
地上波ＤＭＢと衛星ＤＭＢの両方を支援するデュアルモードＤＭＢ受信機で、前記地上波ＤＭＢと前記衛星ＤＭＢを通じて提供されるＥＰＧ情報を統合して提供するための方法であって、
前記デュアルモードＤＭＢ受信機が、
前記地上波ＤＭＢ及び前記衛星ＤＭＢから各々のＥＰＧ情報を検出するステップと、
前記地上波ＤＭＢの各々のアンサンブルに応じてカテゴリーを形成し、かつ前記衛星ＤＭＢシステムに対して１つのカテゴリーを与えるステップと、
前記形成されたカテゴリーを上位階層として設定し、前記上位階層の下位階層として各々のカテゴリーに応じたＥＰＧ情報を格納するステップと、
前記カテゴリーの変更に基づいて、前記各々のカテゴリーに応じたＥＰＧ情報を出力して統合ＥＰＧを提供するステップと、
を含むことを特徴とするデュアルモードＤＭＢ受信機における統合ＥＰＧ提供方法。
【請求項２】
前記統合ＥＰＧを通じて前記地上波ＤＭＢと前記衛星ＤＭＢとの類似放送番組の検索が可能であることを特徴とする請求項１に記載の統合ＥＰＧ提供方法。
【請求項３】
前記類似放送番組に対する検索は、
前記地上波ＤＭＢのＥＰＧ情報を受信し、前記受信したＥＰＧ情報から各放送番組に対するジャンル情報を抽出するステップと、
前記衛星ＤＭＢのＥＰＧ情報を受信し、前記ジャンル情報と受信した前記衛星ＤＭＢのＥＰＧ情報のＥＩＴ(Event Information Table)内の“content descriptor”とを比較し、類似サービス集合を生成するステップと、
前記類似サービス集合内の所定の地上波ＤＭＢの放送番組に関するＥＰＧ情報の中から、キーワード情報を用いて前記衛星ＤＭＢのＥＰＧ情報のＥＩＴ内に含まれた“short event descriptor”、“extended event descriptor”及び“data broadcast descriptor”と、ＳＤＴ(Service Description Table)内の“service descriptor”とを検索し、前記キーワード情報と類似した値を検索するステップと、
前記キーワード情報と類似した値が検索された前記衛星ＤＭＢの放送番組を、前記所定の地上波ＤＭＢの放送番組と関連した放送番組として設定するステップと、
を含むことを特徴とする請求項２に記載の統合ＥＰＧ提供方法。
【請求項４】
前記検索された関連する放送番組を選択することにより、前記地上波ＤＭＢ放送番組と前記衛星ＤＭＢ放送番組との移動が可能であることを特徴とする請求項３に記載の統合ＥＰＧ提供方法。
【請求項５】
地上波ＤＭＢと衛星ＤＭＢの両方を支援するデュアルモードＤＭＢ受信機で、前記地上波ＤＭＢと衛星ＤＭＢを通じて提供されるＥＰＧ情報を統合して提供するための方法であって、
前記デュアルモードＤＭＢ受信機が、前記地上波ＤＭＢと前記衛星ＤＭＢから各々のＥＰＧ情報を検出するステップと、
前記検出された各々のＥＰＧ情報を使用者に提供するために必要な部分に対するフィルタリングを行うステップと、
前記フィルタリング動作を通じて得られたＥＰＧ情報に応じて、前記地上波ＤＭＢと衛星ＤＭＢとに対するＥＰＧを統合したＥＰＧを再構成するステップと、
前記再構成したＥＰＧを使用者に出力するステップと、
を含むことを特徴とするデュアルモードＤＭＢ受信機における統合ＥＰＧ提供方法。
【請求項６】
前記フィルタリング動作のための情報は、番組区分情報、時間情報及びサービス名称などの簡潔な叙述情報を含むことを特徴とする請求項５に記載の統合ＥＰＧ提供方法。
【請求項７】
前記地上波ＤＭＢシステムのＥＰＧ情報が前記衛星ＤＭＢシステムのＥＰＧ情報と類似するか否かに対する情報は、前記システム間のＥＰＧリンク情報データベースを通じて提供され、前記フィルタリング動作のための情報は、前記地上波ＤＭＢと前記衛星ＤＭＢのうち、いずれか一つで設定することにより、前記フィルタリング動作を行うことを特徴とする請求項５に記載の統合ＥＰＧ提供方法。
【請求項８】
前記統合ＥＰＧを通じて前記地上波ＤＭＢと前記衛星ＤＭＢとの類似放送番組の検索が可能であることを特徴とする請求項５から請求項７のいずれか一項に記載の統合ＥＰＧ提供方法。
【請求項９】
前記類似放送番組に対する検索は、
前記地上波ＤＭＢのＥＰＧ情報を受信し、前記受信したＥＰＧ情報から各放送番組に対するジャンル情報を抽出するステップと、
前記衛星ＤＭＢのＥＰＧ情報を受信し、前記ジャンル情報と受信した前記衛星ＤＭＢのＥＰＧ情報のＥＩＴ内の“content descriptor”とを比較して類似サービス集合を生成するステップと、
前記類似サービス集合内の所定の地上波ＤＭＢの放送番組に関するＥＰＧ情報の中からキーワード情報を用いて前記衛星ＤＭＢのＥＰＧ情報のＥＩＴ内に含まれた“short event descriptor”、“extended event descriptor”及び“data broadcast descriptor”と、ＳＤＴ内の“service descriptor”とを検索し、前記キーワード情報と類似した値を検索するステップと、
前記キーワード情報と類似した値が検索された前記衛星ＤＭＢの放送番組を、前記所定の地上波ＤＭＢの放送番組と関係した放送番組として設定するステップと、
を含むことを特徴とする請求項８に記載の統合ＥＰＧ提供方法。
【請求項１０】
前記検索された関連する放送番組を選択することにより、前記地上波ＤＭＢ放送番組と前記衛星ＤＭＢ放送番組との移動が可能であることを特徴とする請求項９に記載の統合ＥＰＧ提供方法。
【請求項１１】
地上波ＤＭＢと衛星ＤＭＢの両方を支援するデュアルモードＤＭＢ受信機で、前記地上波ＤＭＢと前記衛星ＤＭＢを通じて提供されるＥＰＧ情報を統合して提供するための装置であって、
前記デュアルモードＤＭＢ受信機が、前記地上波ＤＭＢ及び前記衛星ＤＭＢから各々のＥＰＧ情報を検出する第１の機能と、
前記地上波ＤＭＢの各々のアンサンブルに応じてカテゴリーを形成し、かつ前記衛星ＤＭＢシステムに対して１つのカテゴリーを与える第２の機能と、
前記形成されたカテゴリーを上位階層として設定し、前記上位階層の下位階層として各々のカテゴリーに応じたＥＰＧ情報を格納する第３の機能と、
前記カテゴリーの変更に基づいて、前記各々のカテゴリーに応じたＥＰＧ情報を出力して統合ＥＰＧを提供する第４の機能と、を遂行する処理手段を有することを特徴とする装置。
【発明の詳細な説明】
【技術分野】
【０００１】
本発明は、地上波デュアルモードデジタルマルチメディア放送(地上波ＤＭＢ)と衛星デュアルモードデジタルマルチメディア放送（衛星ＤＭＢ）の両方を支援するデュアルモードＤＭＢ受信機に関し、特に、地上波ＤＭＢと衛星ＤＭＢとで提供される相互で異なる方式のＥＰＧ情報（電子番組ガイド情報）を統合して該受信機に提供するためのＥＰＧ提供方法に関する。
【背景技術】
【０００２】
ＤＭＢは、“Digital Multimedia Broadcasting”の略語で、音声と画像など、様々なマルチメディア信号をデジタル方式で携帯あるいは車向けの受信機に提供する放送サービスである。ＤＭＢは、そのマルチメディア信号の伝送手段に応じて衛星ＤＭＢと地上波ＤＭＢに分類される。衛星ＤＭＢは、衛星電波を通じて全局（世界各国）のＤＭＢ端末機にプログラムを提供し、地上波ＤＭＢは、公衆波ＶＨＦチャンネル１２、チャンネル８を用いて放送を提供する。
【０００３】
このような衛星ＤＭＢシステム及び地上波ＤＭＢシステムは、数十個の放送チャンネルを使用者に提供する予定であり、その多チャンネル時代のためのプログラム情報を提供するために、各々のＤＭＢシステムはＥＰＧ(Electronic Program Guide)を提供する。
【０００４】
ＥＰＧは、複数のマルチメディアチャンネルのためのプログラムガイドであり、放送番組表（Broadcast program table）をデジタルＴＶの画面上に表示して使用者が手軽に所望の放送に関する情報を得るようにする。このようなＥＰＧ情報は放送信号とともに使用者に伝送される。
【０００５】
現在、衛星ＤＭＢでは、ＥＰＧを提供する方法に対する標準化が完了し、放送サービスを通じてＥＰＧが提供されている。現在の衛星ＤＭＢシステムで用いられるＥＰＧ提供方法によれば、ＥＰＧ伝送のために一つのＭＰＥＧ  ＴＳ(Transport Stream)を別途に割り当てる。さらに具体的に説明すると、該当するＭＰＥＧ  ＴＳのＰＩＤ(Packet ID)をＰＭＴ(Program Map Table)を通じて把握し、これを通じて全体のＥＰＧを提供している。衛星ＤＭＢにおいて、ＥＰＧのためのデータは、実際には、ＳＤＴ(Service Description Table)及びＥＩＴ(Event Information Table)を通じて伝送される。
【０００６】
一方、地上波ＤＭＢでは、ＥＰＧを提供する方式に対する標準化が行われつつあるが、既存のＤＡＢ(Digital Audio Broadcasting)で採択したＸＭＬ(extensible markup language)方式のＥＰＧを導入することが有力視されている。
【０００７】
図１は、従来のデュアルモードＤＭＢ受信機の動作を説明するためのシステム構成図である。
【０００８】
図１に示すように、デュアルモードＤＭＢ受信機１３は、二つのＲＦ(Radio Frequency)チューナーを用い、衛星ＤＭＢサービスを提供するための衛星ＤＭＢシステム１１と地上波ＤＭＢサービスを提供するための地上波ＤＭＢシステム１２とから、各々ＤＭＢサービスを受信する。
【０００９】
このようなデュアルモードＤＭＢ受信機１３は、各々のシステムからＥＰＧ情報も受信するが、受信したＥＰＧ情報を使用者に出力する際、各々のＤＭＢ放送モード(すなわち、衛星ＤＭＢあるいは地上波ＤＭＢモード)を選択した後に、該当する放送モードのＤＭＢ放送に関するＥＰＧのみを出力する。
【００１０】
しかしながら、使用者がこのようなデュアルモードＤＭＢ端末機を用いる場合、ＤＭＢ放送が衛星ＤＭＢであるか、地上波ＤＭＢであるかに問わず、チャンネルを検索して所望の放送を視聴しようとする。したがって、使用者がＥＰＧ情報を通じてチャンネル情報を要請する場合、衛星ＤＭＢか、地上波ＤＭＢかに問わず、すべてのＥＰＧ情報を提供する必要がある。
【００１１】
しかしながら、地上波ＤＭＢシステムのＥＰＧ情報と衛星ＤＭＢシステムのＥＰＧ情報とを統合して既存のＥＰＧ方式で使用者に提供すると、そのＥＰＧ情報の量が非常に多く、かつインターフェースが相互に異なるため、既存のＥＰＧ方式で統合されたＥＰＧ情報を使用することは使用者にとって非効率的である問題点を有している。
【発明の開示】
【発明が解決しようとする課題】
【００１２】
上記従来の問題点を解決するための本発明の目的は、地上波ＤＭＢと衛星ＤＭＢの両方を支援するデュアルモードＤＭＢ受信機において、地上波ＤＭＢ及び衛星ＤＭＢに関連したサービス情報を使用者に一つの統合ＥＰＧとして提供するデュアルモードＤＭＢ受信機における統合ＥＰＧ提供方法を提供することにある。
【００１３】
さらに、本発明の他の目的は、地上波ＤＭＢと衛星ＤＭＢの両方を支援するＤＭＢ受信機で一つの統合ＥＰＧを提供する場合に、ＥＰＧ上での効率的なサービス探索方法を提供することにより、使用者の便宜を向上させることにある。
【課題を解決するための手段】
【００１４】
このような目的を達成するための本発明は、地上波ＤＭＢと衛星ＤＭＢの両方を支援するデュアルモードＤＭＢ受信機で、前記地上波ＤＭＢと衛星ＤＭＢを通じて提供されるＥＰＧ情報を統合して提供するための方法であって、デュアルモードＤＭＢ受信機が、地上波ＤＭＢ及び前記衛星ＤＭＢから各々のＥＰＧ情報を検出するステップと、地上波ＤＭＢの各々のアンサンブルに応じてカテゴリーを形成し、衛星ＤＭＢシステムに対しても１つのカテゴリーを与えるステップと、形成されたカテゴリーを上位階層として設定し、その下位階層として各々のカテゴリーによるＥＰＧ情報を格納するステップと、カテゴリーの移動に応じて、各々のカテゴリーによるＥＰＧ情報を出力して統合ＥＰＧを提供するステップと、を含むことを特徴とする。
【００１５】
さらに、本発明は、地上波ＤＭＢと衛星ＤＭＢの両方を支援するデュアルモードＤＭＢ受信機で、地上波ＤＭＢと衛星ＤＭＢを通じて提供されるＥＰＧ情報を統合して提供するための方法であって、デュアルモードＤＭＢ受信機が、地上波ＤＭＢ及び衛星ＤＭＢから各々のＥＰＧ情報を検出するステップと、検出された各々のＥＰＧ情報を使用者に提供するために必要な部分に対するフィルタリングを行うステップと、フィルタリング動作を通じて得られたＥＰＧ情報に応じて、地上波ＤＭＢと衛星ＤＭＢとに対するＥＰＧを統合したＥＰＧを再構成するステップと、再構成したＥＰＧを使用者に出力するステップとを含むことを特徴とする。
【発明の効果】
【００１６】
本発明によれば、地上波ＤＭＢと衛星ＤＭＢの両方を支援するデュアルモードＤＭＢ受信機で、地上波ＤＭＢ及び衛星ＤＭＢに関連したサービス情報を使用者に一つの統合ＥＰＧとして提供することが可能となる。
【００１７】
さらに、地上波ＤＭＢと衛星ＤＭＢの両方を支援するＤＭＢ受信機で一つの統合ＥＰＧを提供する際に、ＥＰＧ上での効率的なサービス探索方法を提供することが可能となり、使用者の便宜を向上させることができる。
【発明を実施するための最良の形態】
【００１８】
以下、本発明の好適な実施形態について添付図面を参照しながら詳細に説明する。なお、下記の説明において、本発明の要旨のみを明瞭にするために公知の機能や構成についての詳細な説明は、適宜省略する。
【００１９】
また、本発明は、一つの受信機で衛星ＤＭＢデータと地上波ＤＭＢデータの両方の受信が可能なデュアルモードＤＭＢ受信機を対象とするＥＧＰ提供方法である。
【００２０】
まず、従来の衛星ＤＭＢにおけるＥＰＧ提供方法を説明する。ＥＰＧ伝送のために一つのＭＰＥＧ  ＴＳ(Transport Stream)を別途に割り当てられ、割り当てられたＭＰＥＧ ＴＳのＰＩＤ(Packet ID)は、ＰＭＴ(Program Map Table)を通じて把握される。そして衛星ＤＭＢにおいて、ＥＰＧのためのデータは、実際にＳＤＴ(Service Description Table)及びＥＩＴ(Event Information Table)を通じて伝送される。  表１及び表２は、ＳＤＴとＥＩＴに対する構成を例示している。
【００２１】
【表１】
2006345534.tif 000003
【００２２】
【表２】
2006345534.tif 000004
デュアルモードＤＭＢ受信機で衛星ＤＭＢシステムからのＥＰＧ情報を得るためには、上記表１、表２に示したＳＤＴとＥＩＴを通じて伝送される“service descriptor”、“data_broadcast_descriptor”及び“component descriptor”などを通じてＥＰＧを構成するために必要なデータを得る。
【００２３】
一方、地上波ＤＭＢでは、ＥＰＧのデータ形式及び伝送に対する標準化が確立されていないが、ＤＡＢ(Digital Audio Broadcasting)で用いられているＸＭＬ方式のＥＰＧを導入することが予想される。
【００２４】
そこで、以下の説明では、地上波ＤＭＢのためのＥＰＧがＸＭＬ方式で提供されるケースを一例に説明する。
【００２５】
地上波ＤＭＢにおけるＸＭＬ方式のＥＰＧデータは、ＭＯＴ(Multimedia Object Transfer)プロトコルを通じて伝送される。ＭＯＴプロトコルは、地上波ＤＭＢ標準でオブジェクト(object)伝送のために幅広く使用されているデータ伝送プロトコルである。
【００２６】
地上波ＤＭＢシステムのＥＰＧ情報は、サービスに対する情報を格納する“Service information”、プログラム情報を格納する“programme information”、及び類似したプログラムに対するグループ情報を格納する“group information”に大別される。
【００２７】
以下の表３、表４及び表５は、地上波ＤＭＢのＸＭＬ方式のＥＰＧにおける“service information”、“programme information”及び“Group information”に使用する要素(element)と特性(attribute)を示している。
【００２８】
【表３】
2006345534.tif 000005
【００２９】
【表４】
2006345534.tif 000006
【００３０】
【表５】
2006345534.tif 000007
上述したように、地上波ＤＭＢシステムでは、伝送されるＥＰＧ情報は、ＸＭＬデータ形式で分析され処理される。
【００３１】
このように、地上波ＤＭＢ及び衛星ＤＭＢは、そのＥＰＧを構成する情報の形式、伝送方式及び内容が相互に異なるため、これを一つの統合ＥＰＧ形式として提供することが従来困難であった。
【００３２】
図２Ａ及び図２Ｂは、衛星ＤＭＢシステムにおけるＥＰＧ情報及び地上波ＤＭＢシステムにおけるＥＰＧ情報を例示する例示図である。
【００３３】
図２Ａは、地上波ＤＭＢシステムにおけるＥＰＧ情報を例示している。地上波ＤＭＢシステムは、アンサンブルに応じて分けられた各々のＥＰＧを提供する。さらに、地上波ＤＭＢシステムは、各々の提供される放送サービスに応じたその放送に対する簡単な説明情報及び時間情報を提供する。
【００３４】
図２Ｂは、衛星ＤＭＢシステムにおけるＥＰＧ情報を例示している。衛星ＤＭＢシステムは、各々のＥＰＧをチャンネルに応じて分けて提供する。さらに、各々の提供されるチャンネルに応じて放送サービスを分類し、その分類した放送サービスに対する簡単な説明情報及び時間情報を提供する。
【００３５】
このように相異なるＥＰＧを一つの統合形式で提供するために、本発明の実施形態は二つの処理方式を提案する。
（第１の実施形態）
本実施形態では、１つの統合されたＥＰＧ情報として相互に異なるＤＭＢシステムを通じて伝送されるＥＰＧ情報、すなわち、相互に異なるＤＭＢシステムを通じて伝送されるＥＰＧ情報を統合せずに、提供されるインターフェースを統合することにより、統合ＥＰＧを提供する第１の処理方式について説明する。以下、図３を参照しながらより詳しく説明する。
【００３６】
図３は、本発明の第１の実施形態におけるデュアルモードＤＭＢ受信機で、統合ＥＰＧを提供する動作を説明するためのフローチャートである。
【００３７】
図３に示すように、本実施形態のデュアルモードＤＭＢ受信機では、地上波ＤＭＢシステム及び衛星ＤＭＢシステムから、それぞれ、ＥＰＧ情報を検出する(ステップＳ３１)。この際、衛星ＤＭＢシステムの場合、全チャンネルに対する情報を得ることができ、地上波ＤＭＢの場合では、各々のサービス事業者、すなわち、アンサンブル(ensembles)によるＥＰＧ情報を得ることができる。
【００３８】
さらに、デュアルモードＤＭＢ受信機は、地上波ＤＭＢシステムの各々のアンサンブルに応じたカテゴリーを生成し、衛星ＤＭＢシステムに対しても、一つのカテゴリーを与える(ステップＳ３２)。すなわち、六つの地上波ＤＭＢサービス事業者が存在する場合、七つのカテゴリーが生成されることになる。
【００３９】
そして、デュアルモードＤＭＢ受信機は、生成されたカテゴリーを上位階層として設定し、その下位階層としては、各々のカテゴリーによるＥＰＧ情報を入力して格納する(ステップＳ３３)。
【００４０】
上述した構成の統合ＥＰＧでは、相互に異なる方式で伝送されるＥＰＧを物理的に統合するのではなく、インターフェースを通じて統合することにより、使用者が手軽にＥＰＧ情報に対する検索を行える。
【００４１】
さらに、各々のカテゴリーの移動（変更）に応じて該当するカテゴリーによるＥＰＧ情報を出力する(ステップＳ３４)。
【００４２】
図４は、本実施形態における統合ＥＰＧ画面の例示図である。図４(ａ)は、既存の衛星ＤＭＢシステムにおけるＥＰＧ情報を示し、図４(ｂ)は、地上波ＤＭＢシステムにおけるＥＰＧ情報を示し、図４(ｃ)は本実施形態の統合ＥＰＧ情報を示す。
【００４３】
図４(ｃ)に示すように、本実施形態では、スクリーンの左側に各々のサービスに応じたカテゴリーを提供し、その右側にはカテゴリーによるＥＰＧ情報を提供している。
【００４４】
この場合、デュアルモードＤＭＢ受信機は、カテゴリーが衛星ＤＭＢシステムから地上波ＤＭＢシステムへ移動する場合でも、該当する地上波ＤＭＢシステムで提供するＥＰＧ情報をそのまま出力する。すなわち、提供されるＥＰＧ情報を修正せず、同時に提供することができる。
（第２の実施形態）
次に、このように相異なるＥＰＧを一つの統合形式で提供するための第２の処理方式について説明する。本実施形態では、デュアルモードＤＭＢ受信機に入力された地上波ＤＭＢシステムにおけるＥＰＧ情報と衛星ＤＭＢシステムにおけるＥＰＧ情報とを新たに構成することにより、統合ＥＰＧを提供する。以下、図５を参照して詳細に説明する。
【００４５】
図５は、本発明の第２の実施形態におけるデュアルモードＤＭＢ受信機で、統合ＥＰＧを提供する動作を説明するためのフローチャートである。
【００４６】
図５に示すように、本実施形態のデュアルモードＤＭＢ受信機では、地上波ＤＭＢシステム及び衛星ＤＭＢシステムから、それぞれ、ＥＰＧ情報を検出する(ステップＳ５１)。この際、衛星ＤＭＢシステムの場合、全体チャンネルに対する情報を得ることができ、地上波ＤＭＢの場合は、各々のサービス事業者、すなわち、アンサンブルによるＥＰＧ情報を得ることができる。
【００４７】
そして、このように得られた各々のＥＰＧ情報を使用者に提供するために必要な部分をフィルタリングする(ステップＳ５２)。
【００４８】
より詳しくは、使用者に提供されるＥＰＧ情報は、基本的に衛星ＤＭＢの場合、チャンネル情報、プログラム区分情報、時間情報及びサービス名称などの簡単な叙述情報であり、地上波ＤＭＢの場合は、アンサンブル情報、プログラム区分情報、時間情報及びサービス名称などの簡単な叙述情報である。
【００４９】
その他にも、他の情報を提供することができるが、本実施形態に対する説明のためには、上述した情報を含むことと例示する。
【００５０】
上述したプログラム区分情報、時間情報及びサービス名称などの簡単な叙述情報は、その伝送方式では相違するが、衛星ＤＭＢ及び地上波ＤＭＢの場合でその内容と表示方式は同じである。したがって、このような情報を同じ方式で抽出して一つの情報として提供することが可能である。これにより、プログラム区分情報、時間情報及びサービス名称などの簡単な叙述情報などを各々のＥＰＧ情報からフィルタリングする。
【００５１】
ここでは、フィルタリングされる情報としては、プログラム区分情報、時間情報及びサービス名称などの簡単な叙述情報のみを例示しているが、これは本実施形態の明確な説明のための例示であり、フィルタリングされた情報は上記簡単な叙述情報に限定されない。すなわち、デュアルモードＤＭＢ受信機の統合ＥＰＧ提供のためのアルゴリズムの設定に応じて、情報を選択的にフィルタリングすることが可能である。この際、地上波ＤＭＢの場合、地上波ＤＭＢシステムで必要とするＥＰＧ情報を設定すれば、それに対応する衛星ＤＭＢのＥＰＧ情報も同時に設定される。地上波ＤＭＢシステムのＥＰＧ情報が衛星ＤＭＢシステムのＥＰＧ情報と類似するかどうかに対する情報は、システム間のＥＰＧリンク情報データベースを通じて提供される。
【００５２】
この際、衛星ＤＭＢは、チャンネル情報を含み、地上波ＤＭＢはチャンネル情報を含まないため、チャンネル情報は廃棄される。しかしながら、このようなチャンネル情報は使用者による放送切り換えのために重要な情報として用いられるため、地上波ＤＭＢの放送サービスに応じて仮想チャンネルを与え、これを通じてすべてのＥＰＧに対してチャンネル情報に対するフィルタリングが可能になる。
【００５３】
さらに、デュアルモードＤＭＢ受信機は、チャンネル情報をフィルタリングすることにより得られた情報に応じて新たにＥＰＧを再構成する(ステップＳ５３)。
【００５４】
その後、再構成したＥＰＧ情報を出力して(ステップＳ５４)、地上波ＤＭＢシステムと衛星ＤＭＢシステムとの各ＥＰＧ情報を統合した統合ＥＰＧを実現することが可能となる。
（第３の実施形態）
図６は、上述の本発明の実施形態での、統合ＥＰＧを提供するデュアルモードＤＭＢ受信機における効率的な検索のためのサービス相関関係分析方法に関する動作を説明するためのフローチャートである。
【００５５】
図６に示す本実施形態の統合ＥＰＧを提供するデュアルモードＤＭＢ受信機における効率的な検索のためのサービス連関関係分析方法は、地上波ＤＭＢ及び衛星ＤＭＢから提供される放送番組の間に相互に関係するプログラムを相関関係プログラムとして定義して使用者に提供することにより、使用者が多数のチャンネルを通じて提供される放送番組のうち、関心のあるプログラムを視聴できない場合、その類似プログラムに対する情報を提供することにより、使用者が手軽に楽しむ種類のプログラムを選択可能にする方法である。
【００５６】
このためには、まず、地上波ＤＭＢ及び衛星ＤＭＢから提供される各々のサービス間の相関関係を分析する必要がある。この際、同じシステムにおけるＥＰＧ情報を用いる場合、それに関する情報を既に既存のＥＰＧで提供しているため、その相関関係の分析は問題とならない。したがって、本実施形態では、互いに異なるシステム間の放送番組間の相関関係を分析する方法に限定して説明する。
【００５７】
以下、地上波ＤＭＢシステムを中心としてそれに相関する衛星ＤＭＢシステムの放送番組を検索する方法を説明する。衛星ＤＭＢシステムを中心としてそれに相関する地上波ＤＭＢシステムの放送番組を検索する方法については説明しないが、この方法も該当技術分野における通常の知識を持つ者に可能なのは明らかである。
【００５８】
放送番組間の相関関係を分析するときは、ＥＰＧ情報のうち、各放送番組の特性を適当に示す値を用いるべきである。まず、地上波ＤＭＢシステムのＥＰＧ情報は、このような放送番組の特性を十分に示す値として“ジャンル(genre)”情報と“キーワード(keyword)”情報とを含む。
【００５９】
ここで、ジャンル情報は、放送番組をそのコンテンツに応じて分類した値である。キーワード情報は、放送番組検索などに用いられる値で、放送番組の特性を十分に示すワードからなる。
【００６０】
しかしながら、衛星ＤＭＢシステムでは、放送番組の特性を十分に示す情報が、ＥＩＴ内の“content descriptor”、“short event descriptor”、“extend event descriptor”及び“data broadcast descriptor”と、ＳＤＴ内の“service descriptor”とを通じて伝送される。
【００６１】
ここで、“content descriptor”は、衛星ＤＭＢの放送番組をコンテンツに応じて分類した内容を含んでいる。すなわち、地上波ＤＭＢのジャンル情報と類似した情報を含む。
【００６２】
さらに、“short event descriptor”、“extend event descriptor”、“data broadcast descriptor”及び“service descriptor”は、放送番組に対するテキスト形式の情報を含む。
【００６３】
以下、表６から表１０は、このようなdescriptorsのフィールド構成を示している。
【００６４】
【表６】
2006345534.tif 000008
【００６５】
【表７】
2006345534.tif 000009
【００６６】
【表８】
2006345534.tif 000010
【００６７】
【表９】
2006345534.tif 000011
【００６８】
【表１０】
2006345534.tif 000012
相異なるシステムにおける放送番組間の相関関係に対する分析処理過程は、図６に示す通りである。
【００６９】
図６に示すように、デュアルモードＤＭＢ受信機は、地上波ＤＭＢのＥＰＧ情報を受信すると、その受信したＥＰＧ情報から各放送番組に対するジャンル情報を抽出する(ステップＳ６１)。
【００７０】
その後、デュアルモードＤＭＢ受信機は、地上波ＤＭＢの放送番組のジャンル情報と、これに対応する衛星ＤＭＢのＥＩＴ内に含まれた“content descriptor”とを比べて、地上波ＤＭＢの放送番組及び衛星ＤＭＢの放送番組のうち、類似ジャンルに属する類似サービス集合を生成する(ステップＳ６２)。このように生成した類似サービス集合には、地上波ＤＭＢサービスと衛星ＤＭＢサービスとが混在している。
【００７１】
さらに、デュアルモードＤＭＢ受信機は、類似サービス集合に属する地上波ＤＭＢ放送番組のＥＰＧ情報から、キーワード情報を抽出する(ステップＳ６３)。
【００７２】
その後、抽出したキーワード情報を用いて衛星ＤＭＢのＥＩＴ内に含まれた“short event descriptor”、“extended event descriptor”及び“data broadcast descriptor”と、ＳＤＴ内の“service descriptor”とを検索し、類似したキーワード情報が発見された場合には、デュアルモードＤＭＢ受信機は、該当する放送番組を当該キーワードを提供した放送番組と類似した放送番組として設定する(ステップＳ６４)。
【００７３】
図７は、図６のサービス相関関係分析方法による連関放送番組に対する情報を提供する例示図を示すものである。
【００７４】
図７に示すように、図６のサービス連関関係分析方法で設定された地上波ＤＭＢサービスと衛星ＤＭＢサービスとの相関関係を統合ＥＰＧに適用すれば、使用者がＥＰＧ上でより効率的にサービスを探索できることがわかる。
【００７５】
例えば、使用者が提供された統合ＥＰＧを通じて一つのＤＭＢサービス情報を見ながら、当該放送番組に関連した放送番組に対する情報を要求する場合、デュアルモードＤＭＢ受信機は、図７の符号７２のように、関係する放送番組のリストを使用者に表示する。使用者が表示されたリストから放送番組を選択すると、デュアルモードＤＭＢ受信機は、該当する放送番組のＥＰＧ情報を表示させることができる。
【００７６】
ＤＭＢサービスが移動環境（Mobile  Environment）で用いられ、特定の放送番組が一時的にサービス不能状態となり得ることを考慮すると、ＥＰＧを通じて特定の放送番組と類似した放送番組を探索する本実施形態の機能は、使用者のＤＭＢサービスの使用便宜を向上させることが可能となる。
【００７７】
以上、本発明の詳細について具体的な実施の形態に基づいて説明してきたが、本発明の統合ＥＰＧ提供方法は、ハードウェア、ソフトウェア、またはＣＤ−ＲＯＭ、ＲＡＭ、フロッピーディスク（登録商標）、ハードディスクなどの記憶メディア、光磁気ディスクに格納可能なプログラムやネットワークを通じてダウンロードされるプログラムなどで実現可能であり、本発明の方法は、汎用コンピュータが使用するソフトウェアや、専用プロセッサ（専用処理手段）、ＡＳＩＣ若しくはＦＰＧＡのようなプログラムで制御可能な専用ハードウェアで遂行することが可能である。
【００７８】
また、図８は、本発明の統合ＥＰＧの提供方法をプログラムで遂行する場合の各機能を模式的に表した模式図である。例えば、上記第１の実施形態においては、図８に示すように、デュアルモードＤＭＢ受信機のＣＰＵが本発明の統合ＥＰＧ提供方法を遂行するためにプログラム全体の制御を行う。すなわち、本発明の統合ＥＰＧ提供方法がプログラム化されて実現される場合、デュアルモードＤＭＢ受信機に、地上波ＤＭＢ及び前記衛星ＤＭＢから各々のＥＰＧ情報を検出するＥＰＧ検出部、地上波ＤＭＢの各々のアンサンブルに応じてカテゴリーを形成し、衛星ＤＭＢシステムに対しても１つのカテゴリーを与え、形成されたカテゴリーを上位階層として設定し、その下位階層として各々のカテゴリーによるＥＰＧ情報を格納する統合制御部、及びカテゴリーの移動に応じて、各々のカテゴリーによるＥＰＧ情報を出力して統合ＥＰＧを提供する出力部（表示部）に相当する機能が設けられることになり、デュアルモードＤＭＢ受信機のＣＰＵが、これらの各機能を制御することにより、本発明の統合ＥＰＧ提供方法が実現されることになる。
【００７９】
さらに、図示しないが上記第２の実施形態でも同様に、デュアルモードＤＭＢ受信機に、地上波ＤＭＢ及び衛星ＤＭＢから各々のＥＰＧ情報を検出するＥＰＧ検出部、検出された各々のＥＰＧ情報を使用者に提供するために必要な部分に対するフィルタリングを行うフィルタリング部、フィルタリング動作を通じて得られたＥＰＧ情報に応じて、地上波ＤＭＢと衛星ＤＭＢとに対するＥＰＧを統合したＥＰＧを再構成する統合制御部、及び再構成したＥＰＧを使用者に出力する出力部（表示部）に相当する機能が設けられることになり、デュアルモードＤＭＢ受信機のＣＰＵが、これらの各機能を制御することにより、本発明の統合ＥＰＧ提供方法が実現されることになる。
【００８０】
また、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００８１】
【図１】従来のデュアルモードＤＭＢ受信機の動作を説明するためのシステム構成図である。
【図２Ａ】衛星ＤＭＢシステムにおけるＥＰＧ情報を示す例示図である。
【図２Ｂ】地上波ＤＭＢシステムにおけるＥＰＧ情報を示す例示図である。
【図３】本発明の第１の実施形態における統合ＥＰＧの提供の動作を説明するためのフローチャートである。
【図４】本発明の第１の実施形態における統合ＥＰＧ画面の例示図である。
【図５】本発明の第２の実施形態における統合ＥＰＧの提供の動作を説明するためのフローチャートである。
【図６】本発明の第３の実施形態であって、本発明の第１及び第２の実施形態の統合ＥＰＧを提供するデュアルモードＤＭＢ受信機おいて、効率的な検索に対するサービス相関関係分析方法を説明するためのフローチャートである。
【図７】本発明の統合ＥＰＧにおける、図６のサービス相互関係分析方法による放送番組に対する情報の例示図である。
【図８】本発明の統合ＥＰＧの提供方法が、デュアルモードＤＭＢ受信機において実現される際の各機能を示した模式図である。
【符号の説明】
【００８２】
１１    衛星ＤＭＢシステム
１２    地上波ＤＭＢシステム
１３    デュアルモードＤＭＢ受信機
【図１】
2006345534.tif 000013
【図２Ａ】
2006345534.tif 000014
【図２Ｂ】
2006345534.tif 000015
【図３】
2006345534.tif 000016
【図４】
2006345534.tif 000017
【図５】
2006345534.tif 000018
【図６】
2006345534.tif 000019
【図７】
2006345534.tif 000020
【図８】
2006345534.tif 000021